(57)【特許請求の範囲】
【請求項１】
容器本体と、蓋材とからなる容器であって、
前記容器本体は、開口部と、前記開口部の周縁に形成されたフランジ部とを備え、
前記フランジ部には、前記フランジ部の外周縁の一部から外側に突出した突出部が設けられ、この突出部は、前記フランジ部の外周縁に沿って延出された延出部を有し、この延出部には、延出途中において延出方向を横断するように、ノッチが設けられ、
前記蓋材は、前記フランジ部にヒートシールされており、前記蓋材および前記フランジ部には、前記開口部を塞ぐようにヒートシールされた第一シール部と、前記延出部において前記ノッチより延出方向にのみヒートシールされた第二シール部とが設けられ、
前記第一シール部には、前記フランジ部の外周縁の外側に前記突出部が存在するような位置に、第一易開封部が設けられ、
前記第二シール部の延出方向の先端には、第二易開封部が設けられている
ことを特徴とする容器。
【請求項２】
請求項１に記載の容器において、
前記第一易開封部の外側には、前記第二シール部が存在する
ことを特徴とする容器。
【請求項３】
請求項１または請求項２に記載の容器において、
前記突出部には、その起端において突出方向を横断するように、ノッチが設けられている
ことを特徴とする容器。
【請求項４】
請求項１から請求項３までのいずれか１項に記載の容器において、
前記蓋材には、前記容器を前記蓋材側からみた平面視において、前記フランジ部と前記延出部との間にある領域に、ミシン目が設けられている
ことを特徴とする容器。
【請求項５】
請求項４に記載の容器において、
前記ミシン目は、前記容器を前記蓋材側からみた平面視において、前記延出部に設けられたノッチと連続するように設けられている
ことを特徴とする容器。
【請求項６】
請求項１から請求項５までのいずれか１項に記載の容器において、
前記第一易開封部および前記第二易開封部では、前記シール部の一部が外側に張り出している
ことを特徴とする容器。
【請求項７】
請求項１から請求項６までのいずれか１項に記載の容器において、
前記蓋材は、前記フランジ部に二段階でヒートシールされており、
前記フランジ部には、高温シール部と、前記高温シール部よりも低いシール温度でヒートシールされた低温シール部とが設けられ、
前記高温シール部および前記低温シール部のうちの少なくとも一方には、前記第一易開封部および前記第二易開封部が設けられており、前記第一易開封部および前記第二易開封部では、その一部が外側に張り出している
ことを特徴とする容器。
【請求項８】
請求項１から請求項７までのいずれか１項に記載の容器において、
前記容器本体は、表面層を少なくとも有するシートを成形してなり、
前記蓋材は、前記表面層と接着可能なシール層を少なくとも有するフィルムからなり、
前記フランジ部に現れる容器本体の表面層および前記蓋材のシール層には、それぞれ前記第一シール部および前記第二シール部が設けられており、
前記容器本体の表面層および前記蓋材のシール層のうちの少なくとも一方が凝集破壊することで、開封可能となる
ことを特徴とする容器。
【請求項９】
請求項８に記載の容器において、
前記第一シール部の内周縁近傍には、前記容器本体の表面層、前記表面層に隣接する層および前記蓋材のシール層の構成樹脂からなる瘤状の樹脂溜まり部が形成されている
ことを特徴とする容器。
【請求項１０】
請求項１から請求項９までのいずれか１項に記載の容器の製造に用いるシール盤であって、
環状の第一ヒートシール部と、前記第一ヒートシール部の外側に配置された第二ヒートシール部とを備える
ことを特徴とするシール盤。
【発明の詳細な説明】
【技術分野】
【０００１】
本発明は、容器およびシール盤に関し、より詳しくは、食品、薬品、化粧品などの内容物に対し好適に用いることができる容器、並びに、その製造に用いるシール盤に関する。
【背景技術】
【０００２】
食品、薬品、化粧品などを収納する容器としては、密封性および開封性の両立が求められている。このような容器としては、例えば、使用時の開封を一般に行われているシール面の剥離で行うのではなく、容器として多層容器を用い、多層容器の表面層とそれに接する層との層間を開封剥離面とし、多層容器の表面層にシール部より内側に切り込みを設けることにより、切り込みより内側の表面層はそれに接する層から剥離させずに残しつつ、切り込みより外側の表面層とともに蓋材を剥離するようにした容器が提案されている（特許文献１）。
【先行技術文献】
【特許文献】
【０００３】
【特許文献１】特開昭６２−２５１３６３号公報
【発明の概要】
【発明が解決しようとする課題】
【０００４】
しかしながら、特許文献１に記載の容器には、例えば化粧品のように幼児に与えたくない内容物が充填されることがある。このような場合に、特許文献１に記載の容器のように易開封性を有するものであれば、幼児が容器を開封して、その内容物を飲食してしまう場合があるという問題がある。
【０００５】
そこで、本発明は、幼児が容器を開封することを防止しながらも、大人であれば容器を容易に開封することができる、チャイルドレジスタンス機能付きの容器、並びに、その製造に用いるシール盤を提供することを目的とする。
【課題を解決するための手段】
【０００６】
前記課題を解決すべく、本発明は、以下のような容器およびシール盤を提供するものである。
すなわち、本発明の容器は、容器本体と、蓋材とからなる容器であって、前記容器本体は、開口部と、前記開口部の周縁に形成されたフランジ部とを備え、前記フランジ部には、前記フランジ部の外周縁の一部から外側に突出した突出部が設けられ、この突出部は、前記フランジ部の外周縁に沿って延出された延出部を有し、この延出部には、延出途中において延出方向を横断するように、ノッチが設けられ、前記蓋材は、前記フランジ部にヒートシールされており、前記蓋材および前記フランジ部には、前記開口部を塞ぐようにヒートシールされた第一シール部と、前記延出部において前記ノッチより延出方向にのみヒートシールされた第二シール部とが設けられ、前記第一シール部には、前記フランジ部の外周縁の外側に前記突出部が存在するような位置に、第一易開封部が設けられ、前記第二シール部の延出方向の先端には、第二易開封部が設けられていることを特徴とするものである。
【０００７】
本発明においては、フランジ部には第一シール部が設けられ、延出部には第二シール部が設けられている。そして、この第一シール部には、フランジ部の外周縁の外側に突出部が存在するような位置に、第一易開封部が設けられている。そのため、本発明の容器を開封する場合には、延出部の第二シール部を剥離し、その後、第一易開封部から第一シール部を剥離することになる。このように、本発明の容器を開封する場合には、２段階の操作が必要となり、幼児にとっては容器を開封することが困難である。そのため、幼児が容器を開封することを防止できる。一方で、開封方法を知っている大人であれば、上記のようにして、容器を容易に開封することができる。
本発明の容器においては、前記第二易開封部は、第二シール部の延出方向の先端に設けられている。
この発明における延出方向は、突出部から側方に向かう方向であるから、この延出方向と突出部の突出方向とが平行となることがない。そして、このように、第二易開封部が第二シール部の延出方向の先端に設けられている場合には、延出方向と突出方向とが平行でないことから、開封の際に蓋材を同じ方向に引き離しても容器を開封できない。そのため、この発明によれば、幼児が容器を開封することをより確実に防止できる。
【０００８】
本発明の容器においては、前記第一易開封部の外側には、前記第二シール部が存在することが好ましい。
このように第一易開封部の外側に、第二シール部が存在するため、第二シール部を剥離する前に第一シール部を剥離することをより確実に防止できる。
【００１０】
本発明の容器においては、前記突出部には、その起端において突出方向を横断するように、ノッチが設けられていることが好ましい。
このように突出部に、その起端において突出方向を横断するように、ノッチを設けることにより、第一易開封部における易開封性を向上できる。
【００１１】
本発明の容器においては、前記蓋材には、前記容器を前記蓋材側からみた平面視において、前記フランジ部と前記延出部との間にある領域に、ミシン目が設けられていることが好ましい。
このように蓋材にミシン目を設けることにより、蓋材をミシン目に沿って切り裂きやすくなることから、第二シール部を剥離する操作が容易となる。
【００１２】
本発明の容器においては、前記ミシン目は、前記容器を前記蓋材側からみた平面視において、前記延出部に設けられたノッチと連続するように設けられていることが好ましい。
このような構成とすれば、ミシン目に沿って蓋材を切ることで、第二シール部を容易に剥離することができる。
【００１３】
本発明の容器においては、前記第一易開封部および前記第二易開封部では、前記シール部の一部が外側に張り出していることが好ましい。
また、本発明の容器においては、前記蓋材は、前記フランジ部に二段階でヒートシールされており、前記フランジ部には、高温シール部と、前記高温シール部よりも低いシール温度でヒートシールされた低温シール部とが設けられ、前記高温シール部および前記低温シール部のうちの少なくとも一方には、前記第一易開封部および前記第二易開封部が設けられており、前記第一易開封部および前記第二易開封部では、その一部が外側に張り出していることが好ましい。
このような構成とすれば、開封の際に外側に張り出した部分に局所的に力が加わるために、この部分から蓋材を容易に開封できる。
【００１４】
本発明の容器においては、前記容器本体は、表面層を少なくとも有するシートを成形してなり、前記蓋材は、前記表面層と接着可能なシール層を少なくとも有するフィルムからなり、前記フランジ部に現れる容器本体の表面層および前記蓋材のシール層には、それぞれ前記第一シール部および前記第二シール部が設けられており、前記容器本体の表面層および前記蓋材のシール層のうちの少なくとも一方が凝集破壊することで、開封可能となることが好ましい。
この発明によれば、容器本体の表面層および蓋材のシール層には、それぞれシール部が形成されている。そのため、高い密封性が維持されるとともに、容器本体の表面層および蓋材のシール層のうちの少なくとも一方が凝集破壊することで、蓋材が開封可能とされるため、容器本体の表面層とこの表面層に隣接する層とを界面剥離させる態様と比較して、初期開封強度も安定し、開封がスムースに進行される。
ここで、容器本体の表面層および蓋材のシール層のうちの少なくとも一方が凝集破壊されるとは、開封に際し、容器本体の表面層または蓋材のシール層が凝集破壊される層となって開封されていくことのみならず、容器本体の表面層と蓋材のシール層の何れも凝集破壊して開封されていく態様も含む。
【００１５】
本発明の容器においては、前記第一シール部の内周縁近傍には、前記容器本体の表面層、前記表面層に隣接する層および前記蓋材のシール層の構成樹脂からなる瘤状の樹脂溜まり部が形成されていることが好ましい。
この発明によれば、フランジ部に有るシール部の内周縁部近傍には、容器本体の表面層、この表面層に隣接する層および蓋材のシール層の構成樹脂からなる瘤（こぶ）状の樹脂溜まり部が形成されているので、凝集剥離が樹脂溜まり部の介在するところまで進行すると、この樹脂溜まり部の介在により剥離する応力が蓋材を容器本体から引き離す方向に作用することとなり、蓋材と容器本体のフランジ部との切断が良好に行われることとなり、良好な開封性を備えた易開封性の容器となる。
さらに、この樹脂溜まり部を形成することで、蓋材を開けようとする応力（内圧）が集中する樹脂溜まりの付け根（フランジ内周側）と、内圧で蓋材が開封する場合は、最初に破壊される可能性が高い部位を離れさせることができるため、内圧に対し開き難い（以下、「高密封性」ともいう）を維持することができる。
【００１６】
本発明のシール盤は、前記容器の製造に用いるシール盤であって、環状の第一ヒートシール部と、前記第一ヒートシール部の外側に配置された第二ヒートシール部とを備えることを特徴とするものである。
ここで、環状とは、ヒートシールが連続していれば、円状に限定されず、多角形状等も含む。
本発明のシール盤を用いることにより、前記の作用効果を奏することができる本発明の容器を製造することができる。
【図面の簡単な説明】
【００１７】
【図１】本発明の実施形態における容器を示す図であって、蓋材で密封された状態を示す概略図である。
【図２】前記実施形態における容器を示す図であって、第二シール部の一部を剥離した状態を示す概略図である。
【図３】前記実施形態における容器を示す図であって、第二シール部を剥離した後に、第一シール部の一部を剥離した状態を示す概略図である。
【図４】前記実施形態の容器の第一シール部または第二シール部の一部を剥離した状態を示す部分断面図である。
【図５】前記実施形態における第一シール盤を示す模式図である。
【図６】前記実施形態における第二シール盤を示す模式図である。
【図７】本発明の他の実施形態における容器を示す図であって、蓋材で密封された状態を示す概略図である。
【図８】本発明の他の実施形態における第一シール盤を示す模式図である。
【発明を実施するための形態】
【００１８】
以下、本発明の実施形態を図面に基づいて説明する。
（容器１の構成）
図１から図３は、本発明の容器１の一態様を示した概略図である。図１は、蓋材３で密封された状態を示している。図２は、第二シール部２８の一部を剥離した状態を示し、図３は、第二シール部２８を剥離した後に、第一シール部２７の一部を剥離した状態を示している。
容器１は、図１に示すように、容器本体２と、蓋材３とを備えている。そして、容器本体２のフランジ部２５と蓋材３とをヒートシールされることで、容器１の内部が密封状態とされる。
【００１９】
そして、密封状態の容器１は、次のようにして開封できるため、幼児が容器１を開封することを防止しながらも、大人であれば容器１を容易に開封することができる。なお、容器１を開封する方法には、凝集剥離による方法および層間剥離による方法があるが、本実施形態では、凝集剥離による方法を例に挙げて説明する。
すなわち、まず、図２に示すように、第二易開封部４２において蓋材３を上部（図２の矢印方向）に引き上げて、第二シール部２８を剥離する。このとき、第二易開封部４２から延出部２６１に設けられたノッチ２６３まで、応力に対して弱い容器本体２の表面層２１が凝集剥離することになる。また、蓋材３は、ミシン目３３に沿って、容易に切り裂かれることになる。
その後、図３に示すように、第一易開封部４１において蓋材３を上部（図２の矢印方向）に引き上げて、第一シール部２７を剥離する。このとき、第一易開封部４１からフランジ部２５の内周縁まで、応力に対して弱い容器本体２の表面層２１が凝集剥離することになる。
このような、２段階の操作により、開封方法を知っている大人であれば、容器１を容易に開封することができる。
【００２０】
（容器本体２の構成）
容器本体２は、図１に示すように、上方に開口した円形状の開口部２４と、開口部２４の周縁に形成されたフランジ部２５とを備えている。
フランジ部２５には、図１に示すように、フランジ部２５の外周縁の一部から外側に突出した突出部２６が設けられている。また、突出部２６は、フランジ部２５の外周縁に沿って延出された延出部２６１を有している。また、突出部２６には、その起端において突出方向を横断するように、ノッチ２６２が設けられている。そして、この延出部２６１には、延出途中において延出方向を横断するように、ノッチ２６３が設けられている。
ノッチ２６２，２６３の深さは、特に限定されないが、本実施形態では、表面下層２２に達する深さとしている。
【００２１】
フランジ部２５には、蓋材３がヒートシールされる。そして、図１に示すように、蓋材３およびフランジ部２５には、開口部２４を塞ぐようにヒートシールされた第一シール部２７と、延出部２６１においてノッチ２６３より延出方向にのみヒートシールされた第二シール部２８とが設けられている。
第一シール部２７には、図１に示すように、フランジ部２５の外周縁の外側に突出部２６および第二シール部２８が存在するような位置に、第一易開封部４１が設けられている。
第二シール部２８には、図１に示すように、その延出方向の先端に第二易開封部４２が設けられている。
【００２２】
このような容器本体２は、図４に示すように、表面層２１、表面下層２２および基材層２３の少なくとも３層からなる多層シートを成形して得られる。
この多層シートの層構成については、特に限定はないが、基材層２３に接着層およびガスバリア層を有する構造を採用することが好ましい。この接着層およびガスバリア層としては、特に制限はなく、それぞれ接着性を有する樹脂からなる層、およびガスや水蒸気の難透過性を有する樹脂からなる層であればよい。
この多層シートの厚みは２０μｍ以上２０００μｍ以下の範囲であればよいが、容器などに成形する用途としての多層シートの厚みは１００μｍ以上２０００μｍ以下の範囲が好ましい。
【００２３】
ここで、本実施形態においては、図４に示すように、容器本体２の表面層２１が凝集破壊される凝集剥離により開封される。
表面層２１に用いる樹脂としては、例えば、エチレン−アクリル酸エステル−無水マレイン酸共重合体やスチレングラフトプロピレン樹脂の少なくとも一つを、ポリプロピレン系樹脂にブレンドして得られた樹脂組成物が挙げられる。この場合にあっては、エチレン−アクリル酸エステル−無水マレイン酸共重合体やスチレングラフトプロピレン樹脂は、ポリプロピレン系樹脂１００質量部に対して、好ましくは１０質量部以上５０質量部以下の範囲、特に好ましくは１５質量部以上４０質量部以下の範囲で添加するようにすればよい。表面層の厚みは５μｍ以上５００μｍ以下の範囲であることが好ましく、１０μｍ以上３００μｍ以下の範囲であることがより好ましい。
【００２４】
容器本体２を構成する表面下層２２は、表面層２１の下に、この表面層２１に隣接されて配される層である。この層の構成材料としては、例えば、ポリプロピレン系樹脂、ポリエチレン系樹脂などのオレフィン系樹脂やポリスチレン系樹脂、ポリエチレンテレフタレート（ＰＥＴ）などのポリエステル系樹脂などの材料、および、これらのブレンド材料を用いることができる。
【００２５】
容器本体２を構成する基材層２３は、容器本体２の外部に現れる層である。この層の構成材料としては、ポリプロピレン系樹脂、ポリエチレン系樹脂などのオレフィン系樹脂やポリスチレン系樹脂、ポリエチレンテレフタレート（ＰＥＴ）などのポリエステル系樹脂などの材料、および、これらのブレンド材料の単層または積層体や、また、ガスバリア性を付与すべく、例えばエチレンビニルアルコール共重合体、ナイロン、ポリエチレンテレフタレート（ＰＥＴ）、ポリ塩化ビニリデン（ＰＶＤＣ）などの樹脂材料やアルミ蒸着などで形成されたガスバリア層を形成する樹脂などを使用することができる。
【００２６】
また、前記接着層としては、無水マレイン酸変性ポリオレフィンなどを含有する樹脂からなる層が挙げられる。
前記ガスバリア層としては、ナイロン（ＮＹ）、ポリエチレンテレフタレート（ＰＥＴ）、エチレン−ビニルアルコール共重合体（ＥＶＯＨ）などからなる層が挙げられる。
【００２７】
（蓋材３の構成）
蓋材３は、図４に示すように、容器１の外部に現れる外層３２、および、容器本体２の表面層２１とヒートシールされるシール層３１の少なくとも２層からなる多層フィルムからなるものである。
蓋材３には、図１に示すように、容器１を蓋材３側からみた平面視において、フランジ部２５と延出部２６１との間にある領域に、ミシン目３３が設けられている。そして、このミシン目３３は、容器１を蓋材３側からみた平面視において、延出部２６１に設けられたノッチ２６３と連続するように設けられている。
【００２８】
シール層３１の構成材料としては、容器本体２の表面層２１が凝集破壊して剥離する開封態様で、表面層２１を構成する樹脂として前記した樹脂組成物を採用する場合にあっては、ランダムポリプロピレン（ＲＰＰ）やブロックポリプロピレン（ＢＰＰ）、直鎖状低密度ポリエチレン（ＬＬＤＰＥ）、ポリエチレンなどを使用することができる。シール層３１の厚みは５０μｍ以上１００μｍ以下の範囲であることが好ましい。
【００２９】
外層３２の構成材料としては、特に制限はないが、二軸延伸ポリプロピレンフィルム（ＯＰＰ）、二軸延伸ポリエチレンテレフタレートフィルム（ＯＰＥＴ）、二軸延伸ナイロンフィルム（ＯＮｙ）などを使用することができる。直線カット性を有する外層３２の厚みは１０μｍ以上５０μｍ以下の範囲であることが好ましい。
【００３０】
（第一易開封部４１および第二易開封部４２の形成）
本実施形態の容器１では、シール部の一部が外側に張り出している第一易開封部４１および第二易開封部４２が形成されていることが好ましい。開封時には、外側に張り出している第一易開封部４１および第二易開封部４２に局所的に力が加わるために、これら第一易開封部４１および第二易開封部４２からは蓋材３を容易に開封できる。これら第一易開封部４１および第二易開封部４２を形成するには、例えば、下記のような方法を用いればよい。当該張り出し部分の形状は、開封時に局所的に力がかかる先端状の部分を有する形状であれば特に限定されない。例えば、張り出した先端状の部分を、三角、四角などの多角形状などとすることが好ましい。
【００３１】
すなわち、まず、図５に示すような、環状の第一ヒートシール部７１と、第一ヒートシール部７１の外側に配置された第二ヒートシール部７２とを備える第一シール盤７、および、図６に示すような、環状の第一ヒートシール部８１と、第一ヒートシール部８１の外側に配置された第二ヒートシール部８２とを備える第二シール盤８を準備する。そして、図５に示す第一シール盤７を用いて、蓋材３のシール層３１をフランジ部２５の表面層２１にヒートシールして高温シール部２７１，２８１を形成する。その後、図６に示す第二シール盤８を用いて、高温シール部２７１，２８１の外周側に当たるように押圧して、容器本体２の表面層２１と蓋材３のシール層３１をヒートシールして低温シール部２７２，２８２を形成する。
ここで、低温シール部２７２，２８２を形成する際のシール温度は、高温シール部２７１，２８１を形成する際のシール温度よりも低く（より好ましくは２０℃以上低く、特に好ましくは４０℃以上低く）しておく。具体的には、高温シール部２７１，２８１を形成する際のシール温度を１６０℃以上２４０℃以下の範囲（より好ましくは、１８０℃以上２００℃以下の範囲）とすればよい。また、低温シール部２７２，２８２を形成する際のシール温度を１３０℃以上１５０℃以下の範囲（より好ましくは、１３５℃以上１４０℃以下の範囲）とすればよい。
なお、高温シール部２７１，２８１を形成する際に用いる第一シール盤７には、外側に張り出した部分を設けておき、この部分が低温シール部２７２，２８２の外側に張り出すように、低温シール部２７２，２８２を形成する。このようにして、第一シール部２７および第二シール部２８の一部に、第一易開封部４１および第二易開封部４２を形成することができる。
また、第一易開封部４１および第二易開封部４２の形状は、外側に張り出している形状であれば特に限定されない。例えば、容器本体２の形状が円筒形状であれば、円状の第一シール部の一部に外側に張り出した部分を設けることが好ましい。容器本体２の形状が多角形状であれば、第一シール部２７の角の部分を、第一易開封部４１として利用できる。また、容器本体２の形状が多角形状であってもシール部の一部に外側に張り出した部分を設けてもよい。
【００３２】
（本実施形態の効果）
前記したような実施形態によれば、次のような効果を奏することができる。
（１）本実施形態においては、フランジ部２５には第一シール部２７が設けられ、延出部２６１には第二シール部２８が設けられている。そして、この第一シール部２７には、フランジ部２５の外周縁の外側に突出部が存在するような位置に、第一易開封部４１が設けられている。そのため、容器１を開封する場合には、延出部２６１の第二シール部２８を剥離し、その後、第一易開封部４１から第一シール部を剥離することになる。このように、容器１を開封する場合には、２段階の操作が必要となり、幼児にとっては容器１を開封することが困難である。そのため、幼児が容器１を開封することを防止できる。一方で、開封方法を知っている大人であれば、上記のようにして、容器１を容易に開封することができる。
（２）第一易開封部４１の外側に、第二シール部２８が存在するため、第二シール部２８を剥離する前に第一シール部２７を剥離することをより確実に防止できる。
【００３３】
（３）本実施形態における延出方向は、突出部２６から側方に向かう方向であるから、この延出方向と突出部２６の突出方向とが平行となることがない。そして、このように、第二易開封部４２が第二シール部２８の延出方向の先端に設けられている場合には、延出方向と突出方向とが平行でないことから、開封の際に蓋材を同じ方向に引き離しても容器１を開封できない。そのため、本実施形態によれば、幼児が容器１を開封することをより確実に防止できる。
（４）突出部２６に、その起端において突出方向を横断するように、ノッチ２６２を設けることにより、第一易開封部４１における易開封性を向上できる。
（５）蓋材３にミシン目３３を設けることにより、蓋材３をミシン目３３に沿って切り裂きやすくなることから、第二シール部２８を剥離する操作が容易となる。また、ミシン目３３に沿って蓋材を切ることで、第二シール部２８を容易に剥離することができる。
【００３４】
（６）開封時には、外側に張り出している第一易開封部４１または第二易開封部４２に局所的に力が加わるために、この易開封部からは蓋材３を容易に開封できる。また、この易開封部では他の部分と比較してシール樹脂の溶出が大きいことから、比較的に剥離がしやすくなっており、より開封しやすい構成となっている。
（７）容器１が、開口部２４の周縁にフランジ部２５を配設する容器本体２と、この容器本体２のフランジ部２５と蓋材３がヒートシールされてなるので、高い密封性が維持される。また、容器本体２の表面層２１が凝集破壊することで、蓋材３が開封可能とされるため、容器本体２の表面層２１とこの表面層２１に隣接する表面下層２２とを界面剥離させる態様と比較して、初期開封強度も安定し、開封がスムースに進行される。
【００３５】
［実施形態の変形］
本発明は前述の実施形態に限定されるものではなく、本発明の目的を達成できる範囲での変形、改良等は本発明に含まれるものである。
例えば、前記実施形態では、容器本体２の形状を円形状とする態様を示したが、これに限定されない。容器本体２の形状は、多角形状であってもよく、例えば、図７に示す容器本体２Ａのように、四角形状であってもよい。図７に示す容器１Ａにおいても、前述の実施形態の効果と同様の効果を奏することができる。
また、前記実施形態では、容器本体２の表面層２１が凝集剥離する態様を示したが、容器本体２と蓋材３が開封するに際して、蓋材３のシール層３１が凝集剥離する態様であってもよい。
本発明にあっては、開封に際し、容器本体２の表面層２１と蓋材３のシール層３１の両層が凝集破壊されて開封される場合も含む。更には、容器本体２の表面層２１と、表面下層２２が同一部材である場合でも、前記同一部材が蓋材３のシール層３１とヒートシール可能で、蓋材３を開封する際に、蓋材３のシール層３１が凝集破壊する場合は、前述した本発明の効果が期待できるため、本発明に含まれる。
【００３６】
前記実施形態では、第一易開封部４１からフランジ部２５の内周縁まで、応力に対して弱い容器本体２の表面層２１が凝集剥離する構成となっているが（なお、前記実施形態のように、フランジ部２５の内周縁にノッチを設けていないものをノッチレス型という）、これに限定されない。例えば、第一易開封部４１からノッチ（図示しない）まで、容器本体２の表面層２１と表面下層２２との間で層間剥離する構成（いわゆるノッチ型）としてもよい。また、容器本体２の表面層２１が凝集剥離する構成であっても、フランジ部２５の内周縁にノッチを設けてもよい。
また、前記実施形態のようにノッチレス型の場合には、特開２００６−２０６１２８号公報に記載の方法などにより形成される樹脂溜まり部（図示しない）を設けておき、この樹脂溜まり部により、容器本体２から蓋材３を分断する構成としてもよい。このように樹脂溜まり部を形成すれば、容器の高密封性を向上できる。
【００３７】
前記実施形態では、蓋材３のミシン目３３が突出部２６を横断するように設けられている構成となっているが、これに限定されない。蓋材３のミシン目３３は、図７に示すように、突出部２６を横断しないように設けてもよい。このような構成とすれば、第二シール部２８を剥離した際に、蓋材３がミシン目３３により分断されることによるゴミが生じない。
前記実施形態では、第一易開封部４１および第二易開封部４２を形成するために、図５に示す第一シール盤７を用いたが、これに限定されない。図８に示す第一シール盤７Ａのように、第一易開封部４１および第二易開封部４２を形成する部分が分離している構成であってもよい。また、前記実施形態では、第一易開封部４１および第二易開封部４２の形状を三角形状としたが、これに限定されない。これらの形状は、例えば半円形状、台形状などの形状とすることができ、本発明の効果を奏する範囲内において適宜設計できる。
【産業上の利用可能性】
【００３８】
本発明の容器は、食品、薬品、化粧品などの内容物の容器に好適に用いることができる。
【符号の説明】
【００３９】
１…容器
２…容器本体
２１…表面層
２２…表面下層
２４…開口部
２５…フランジ部
２６…突出部
２６１…延出部
２６２，２６３…ノッチ
２７…第一シール部
２７１…高温シール部
２７２…低温シール部
２８…第二シール部
２８１…高温シール部
２８２…低温シール部
３…蓋材
３１…シール層
３３…ミシン目
４１…第一易開封部
４２…第二易開封部
７…第一シール盤
７１…第一ヒートシール部
７２…第二ヒートシール部
８…第二シール盤
８１…第一ヒートシール部
８２…第二ヒートシール部
Ｘ…第一シール部の内周縁近傍
【図１】
0005849008.tif 000002
【図２】
0005849008.tif 000003
【図３】
0005849008.tif 000004
【図４】
0005849008.tif 000005
【図５】
0005849008.tif 000006
【図６】
0005849008.tif 000007
【図７】
0005849008.tif 000008
【図８】
0005849008.tif 000009